(57)【特許請求の範囲】
【請求項１】
容器と、
その容器と材質が異なる噴射部材と、
ガス抜き済みの容器にガス抜き済みであることを表示する手段とを有し、
その噴射部材が容器に対して取り外し自在であり、
その噴射部材の一部が前記表示を隠す状態で取り付けられている、エアゾール製品。
【請求項２】
容器、その容器の上端開口部に取り付けられたバルブ、そのバルブのマウンティングカップに係合した肩カバー、および、バルブのステムに嵌合したボタンを備えたエアゾール容器と、
前記容器の外周に貼着され、ガス抜き済みであることを表示するラベルシートと、
そのラベルシートを覆い隠すようにラベルシートの上から貼り付けられるカバーシートとを有し、
前記カバーシートの上部が肩カバーの下側に延ばされており、肩カバーを外すことにより、カバーシートの全体を剥がすことができる、エアゾール製品。
【請求項３】
ガス抜き済みの容器にガス抜き済みであることを示す表示が設けられた表示部材を備えており、
前記表示部材は、外部から見えない状態で容器ないしその付属部材に取り外し自在に取り付けられた可撓性を有するテープ状の部材であり、
前記表示部材の少なくとも両端近辺に、バルブの操作部材を噴出操作している状態で容器本体ないし噴射部材に外部から見える状態で取り付ける手段を備えている、エアゾール製品。
【請求項４】
前記表示部材が、キャップの内面または肩カバーの内部に取り外し自在に収容されている、請求項３記載のエアゾール製品。
【請求項５】
ガス抜き済みの容器にガス抜き済みであることを示す表示が表側に設けられたシート状の表示部材を備えており、
前記表示部材は、裏側にした状態で容器ないし付属部材に取り外し自在に取り付けられており、かつ、表示を表側にした状態で容器ないし噴射部材に取り付け可能に構成されている、エアゾール製品。
【請求項６】
バルブを操作する押しボタンと、
その押しボタンを覆っている、操作のための窓を備えたボタンカバーとを有し、
そのボタンカバーの一部が他の部分から分離容易に連続すると共に、分離後に押しボタンとボタンカバーとの間に挿入して押しボタンを押した状態に維持する挿入片として構成され、
その挿入片の裏側に前記表示が設けられている、請求項５記載のエアゾール製品。
【請求項７】
バルブの操作部材の操作を自由とする状態と、噴出操作を維持する状態とに切り換えることができるガス抜き機構を備え、
前記ガス抜き機構を噴出操作した状態のときに、ガス抜き済みの容器にガス抜き済みであることを表示する表示部材が現れるように、その表示部材とその表示を隠すカバーリング要素とが相対移動自在に設けられている、エアゾール製品。
【請求項８】
前記ガス抜き機構が、押しボタンの周囲に設けた窓部を備えた肩カバーと、その肩カバーの内面側に回動自在に設けられ、一方向に回動したときに押しボタンを押した状態に拘束する可動部材とを有し、
その可動部材の表面に、可動部材を前記一方向に回動させたときに前記窓に現れる表示が設けられている、請求項７記載のエアゾール製品。
【発明の詳細な説明】
【０００１】
【発明の属する技術分野】
本発明はエアゾール製品に関する。
【０００２】
【従来の技術】
エアゾール製品は、容器内に可燃性ガス（ジメチルエーテルや、ブタン、プロパンなどの液化石油ガスなど）や圧縮ガス（窒素、炭酸ガス、空気など）などの噴射剤（ガス）を密封したものであり、容器内にそれらの噴射剤を残留させたまま焼却やスクラップ処理すると、爆発や破裂のおそれがある。そこで消費者に対しては、完全に使い切ってから資源ゴミとして出すように知らせており、押しボタンやスパウトを押し続けることができる簡単なガス抜き器具も開発されている（たとえば特許第２７２９１６３号公報など参照）。しかしながらエアゾール製品は、ガスを抜き切っても外観上の変化がないため、見た目で判断することはできず、誤ってガスを残存させたまま廃棄してしまう場合がある。
【０００３】
そして一旦ゴミとして出されてしまうと、見た目では使い切っているかどうかを判断することができず、しかも処分場などで再度分別することもできないので、そのまま焼却して爆発や破裂の事故の原因となることがある。また、確実にガスが残留していないことを確認するには、ボタンやスパウトなどの噴射部材を作動させたり、エアゾール製品を振ってみるなどの行為が必要であり、手間がかかる。
【０００４】
他方、容器に孔を開けてガス抜きをした上で廃棄させるようにすれば、見た目で判断することは可能である。しかし釘や金槌などの道具が必要であり、手間がかかる。しかも小さい孔の場合は見つけにくい。したがって消費者が孔を開けるなどの処理を行うことは、前述の噴出部材によるガスの使い切り処理の場合より期待できない。
【０００５】
【発明が解決しようとする課題】
本発明は上記のエアゾール製品について、消費者に大きい負担を与えることなく、外観によりガスを抜く処理を行ったか否かがわかるようにすることを第１の技術課題としている。さらに本発明は、エアゾール製品について材質の異なる部材を分別廃棄するときに、同時にすでにガスが抜けていることを表示しうるエアゾール製品を提供することを第２の技術課題としている。
【０００６】
【課題を解決するための手段】
本発明のエアゾール製品は、容器と、その容器と材質が異なる噴射部材と、ガス抜き済みの容器にガス抜き済みであることを表示する手段とを有し、その噴射部材が容器に対して取り外し自在であり、その噴射部材の一部が前記表示を隠す状態で取り付けられていることを特徴としている。
【０００７】
本発明のエアゾール製品の第２の態様は、容器、その容器の上端開口部に取り付けられたバルブ、そのバルブのマウンティングカップに係合した肩カバー、および、バルブのステムに嵌合したボタンを備えたエアゾール容器と、前記容器の外周に貼着され、ガス抜き済みであることを表示するラベルシートと、そのラベルシートを覆い隠すようにラベルシートの上から貼り付けられるカバーシートとを有し、前記カバーシートの上部が肩カバーの下側に延ばされており、肩カバーを外すことにより、カバーシートの全体を剥がすことができることを特徴としている。
【０００８】
本発明のエアゾール製品の第３の態様は、ガス抜き済みの容器にガス抜き済みであることを示す表示が設けられた表示部材を備えており、前記表示部材は、外部から見えない状態で容器ないしその付属部材に取り外し自在に取り付けられた可撓性を有するテープ状の部材であり、前記表示部材の少なくとも両端近辺に、バルブの操作部材を噴出操作している状態で容器本体ないし噴射部材に外部から見える状態で取り付ける手段を備えていることを特徴としている。このようなエアゾール製品であって、前記表示部材がキャップの内面または肩カバーの内部に取り外し自在に収容されているものが好ましい。
【０００９】
本発明のエアゾール製品の第４の態様は、ガス抜き済みの容器にガス抜き済みであることを示す表示が表側に設けられたシート状の表示部材を備えており、
前記表示部材は、裏側にした状態で容器ないし付属部材に取り外し自在に取り付けられており、かつ、表示を表側にした状態で容器ないし噴射部材に取り付け可能に構成されていることを特徴としている。このようなエアゾール製品であって、バルブを操作する押しボタンと、その押しボタンを覆っている、操作のための窓を備えたボタンカバーとを有し、そのボタンカバーの一部が他の部分から分離容易に連続すると共に、分離後に押しボタンとボタンカバーとの間に挿入して押しボタンを押した状態に維持する挿入片として構成され、その挿入片の裏側に前記表示が設けられているものが好ましい。
【００１０】
本発明のエアゾール製品の第５の態様は、バルブの操作部材の操作を自由とする状態と、噴出操作を支持する状態とに切り換えることができるガス抜き機構を備え、前記ガス抜き機構を噴出操作した状態のときに、ガス抜き済みの容器にガス抜き済みであることを表示する表示部材が現れるように、その表示部材とその表示を隠すカバーリング要素とが相対移動自在に設けられていることを特徴としている。このようなエアゾール製品であって、前記ガス抜き機構が、押しボタンの周囲に設けた窓部を備えた肩カバーと、その肩カバーの内面側に回動自在に設けられ、一方向に回動したときに押しボタンを押した状態に拘束する可動部材とを有し、その可動部材の表面に、可動部材を前記一方向に回動させたときに前記窓に現れる表示が設けられているものが好ましい。
【００１２】
【作用および発明の効果】
本発明のエアゾール製品（請求項１）は、使用者が内容物を使い切り、容器にガスが残存しないことを確認した後、ガス抜き済みであることの表示を見える状態にし、容器に対し、「ガス抜き済み」であることを表示する。表示は文字のほか、絵、記号など、一目で分かるものが好ましい。一旦このように表示が現れると、使用者の手元に置いている場合でも、あるいは処理業者が回収した後でも、そのまま廃棄・再生処理してよいか、一旦ガス抜き処理をしてから廃棄・再生処理すべきかが直ちに分かり、そのたびに確認する必要がなくなる。また、表示は容器自体に設けているから、バルブやキャップなどを分別廃棄した後でも、あるいは回収、搬送作業の後でも、容易に判別することができる。
【００１３】
表示を隠す噴射部材が取り外し自在に設けられているエアゾール製品では、噴射部材を容器から取り外すと、見えない状態に維持されていた「ガス抜きが完了している」ことを示す表示が現れ、見ることができるようになる。さらに表示は単に噴射部材で覆われているだけであるので、使用者は廃棄前などにその噴射部材を取り外すという簡単な行為を行うだけでよい。したがって筆記用具などの道具を何ら要せず、手間もほとんどかからない。そのため消費者などの負担が少なく、実行される蓋然性が高い。さらに人には「隠されているものは見たくなる」という心理的な側面があるので、噴射部材を外す行為は面倒なものではなく、むしろ消費者に興味を引き起こし、噴射部材の取り外しが実行される可能性は高く、ひいてはガス抜きを慫慂する効果が高い。
【００１４】
また容器と材質が異なる噴射部材の一部が表示を隠す状態で取り付けるため、ガス抜きの完了後に噴射部材を分別廃棄するだけで自然と「ガス抜き済」の表示が外部に現れる。したがって使用者の負担が一層少ない。さらに噴射部材を取り外すと「ガス抜き済」の表示が現れることを消費者に知らせておけば、どのような表示が現れるのかという興味も手伝って、消費者が分別廃棄をする可能性が高くなる。
【００１５】
本発明のエアゾール製品の第２の態様は、容器、その容器の上端開口部に取り付けられたバルブ、そのバルブのマウンティングカップに係合した肩カバー、および、バルブのステムに嵌合したボタンを備えたエアゾール容器と、前記容器の外周に貼着され、ガス抜き済みであることを表示するラベルシートと、そのラベルシートを覆い隠すようにラベルシートの上から貼り付けられるカバーシートとを有しているため、そのフィルムやシートを引き剥がしたり、破ったりするだけで表示が現れる。そのため、消費者が一層実行しやすくなる。さらにフィルムないしシートの上に、ガス抜きをすること、およびその後にフィルムやシートを破ることをすすめる説明、あるいはそのエアゾール製品の使用方法や廃棄方法など、他の表示を行うことが容易である。
【００１６】
また前記カバーシートの上部が肩カバーの下側に延ばされており、肩カバーを外さないとカバーシートの全体を剥がすことができないため、肩カバーと容器の分別廃棄を確実に行うことができる。
さらに、カバーシートの全体は剥がすことができるため、エアゾール製品にラベルなどを貼着するときに同時にカバーリングを行うことができる。そのため量産する場合のコストを下げることができる。また「表示」と「カバーリングシート」をあらかじめ貼り合わせた二重のラベルにしておいてもよく、その場合は一層コストを低減しうる。
【００１７】
本発明のエアゾール製品の第３の態様は、ガス抜き済みの容器にガス抜き済みであることを示す表示が設けられた表示部材を備えており、その表示部材は、外部から見えない状態で容器ないしその付属部材に取り外し自在に取り付けられたものであり、かつ、バルブの操作部材を噴出操作した状態で容器ないし噴射部材に外部から見える状態で取り付ける手段を備えているため、消費者は表示部材を噴射部材などから取り外し、容器などに取り付けると、容器のガスが抜け、同時にガス抜き表示を行うことができる。したがってガス抜き後の容器についてはガス抜きであることが外観から明らかになり、逆にガス抜きをしていないものに誤って表示をすることが防止される。
【００１８】
前記操作部材が押しボタンで、前記表示部材が可撓性を有するテープ状の部材であり、前記表示部材の少なくとも両端近辺にバルブの操作部材を噴出操作している状態で容器本体ないし噴射部材に外部から見える状態で取り付ける手段を備えているため、噴射部材などから取り外したテープ状の表示部材を、押しボタンを押した状態でその両端近辺を容器などに取り付ける。それにより容器のガスが抜け、同時にガス抜き表示を行うことができる。
【００１９】
本発明のエアゾール製品の第４の態様は、ガス抜き済みの容器にガス抜き済みであることを示す表示が表側に設けられたシート状の表示部材を備えており、前記表示部材は、裏側にした状態で容器ないし付属部材に取り外し自在に取り付けられており、かつ、表示を表側にした状態で容器ないし噴射部材に取り付け可能に構成されているため、表示を裏側にした状態では外部からガス抜き表示が見えない。そして消費者はガス抜きを行った後に、表示が表側になるようにして容器などに取り付ける。このものは１枚の表示部材を容器などに取り付けているのでエアゾール製品の使用中に表示部材を紛失しにくく、しかも直ちに見つけることができる。
【００２０】
バルブを操作する押しボタンと、その押しボタンを覆っている、操作のための窓を備えたボタンカバーとを有し、そのボタンカバーの一部が他の部分から分離容易に連続すると共に、分離後に押しボタンとボタンカバーとの間に挿入して押しボタンを押した状態に維持する挿入片として構成され、その挿入片の裏側に前記表示が設けられている第４の態様のエアゾール製品では、、消費者はエアゾール製品の使用完了後に挿入片を切り離し、その挿入片を押しボタンとボタンカバーの間に挿入する。それによりガス抜きと表示を同時に行うことができる。
【００２３】
本発明のエアゾール製品の第５の態様は、バルブの操作部材の操作を自由とする状態と、噴出操作を維持する状態とに切り換えることができるガス抜き機構を備え、前記ガス抜き機構を噴出操作した状態のときに、ガス抜き済みの容器にガス抜き済みであることを表示する表示部材が現れるように、その表示部材とその表示を隠すカバーリング要素とが相対移動自在に設けられているため、消費者はエアゾール製品の使用完了後に表示部材とカバーリング要素を相対的に移動させることにより、ガス抜き操作と表示を同時に行うことができる。
【００２４】
そのようなガス抜き機構として、押しボタンの周囲に設けた窓部を備えた肩カバーと、その肩カバーの内面側に回動自在に設けられ、一方向に回動したときに押しボタンを押した状態に拘束する可動部材とを有し、その可動部材の表面に、可動部材を前記一方向に回動させたときに前記窓に現れる表示が設けられているガス抜き機構を用いたエアゾール製品の場合は、消費者はエアゾール製品の使用完了後に可動部材を一方向に回動させるだけで表示とガス抜き操作を同時に行うことができる。
【００２７】
【発明の実施の形態】
つぎに図面を参照しながら本発明のエアゾール製品の実施の形態を説明する。図１は本発明の範囲外のエアゾール製品を示す斜視図、図２は本発明のエアゾール製品の一実施形態を示す要部断面図、図３ａ〜ｃは本発明の範囲外のエアゾール製品を示す使用方法説明図、図４は本発明の範囲外のエアゾール製品を示す使用方法説明図、図５は本発明のエアゾール製品の他の実施形態を示す要部斜視図、図６および図７は本発明のエアゾール製品のさらに他の実施形態を使用方法と共に示す要部斜視図、図８ａは本発明のエアゾール製品のさらに他の実施形態を表示顕在化の方法と共に示す要部斜視図、図８ｂおよび図８ｃはそれぞれそのエアゾール製品の表示を隠している状態と表した状態を示す断面図、図９は本発明の範囲外のエアゾール製品を使用方法と共に示す要部斜視図、図１０は本発明の範囲外のエアゾール製品を示す要部斜視図、図１１ａは本発明のエアゾール製品のさらに他の実施形態を示す部分切り欠き分解斜視図、図１１ｂはそのエアゾール製品の表示部材の断面図、図１２ａおよび図１２ｂはそれぞれ本発明のエアゾール製品のさらに他の実施形態における表示を隠している状態と表した状態を示す要部斜視図、図１３はそのエアゾール製品の要部断面図、図１４および図１５ははそれぞれ本発明の範囲外のエアゾール製品を示す要部斜視図である。
【００２８】
図１に示すエアゾール製品Ａは、容器１と、その容器の上端開口部に取り付けられたバルブと、そのバルブのマウンティングカップに係合した肩カバー２と、バルブのステムに嵌合したボタン（押しボタン）３とを備えている。容器１はたとえばアルミニウムやブリキなどの金属薄板をプレス成形した公知のものであり、底部４と、胴部５と、胴部の上端に設けた肩部６とを有する（図３参照）。容器１の内部には、噴出させるべき原液と、その原液を噴射するための噴射剤とが充填されている。またバルブ、肩カバー２およびボタン３も公知のものである。ボタン３には噴射口３ａが設けられている。
【００２９】
このエアゾール製品Ａの特徴は、容器１の胴部５の外周に貼着したラベルシート７と、そのラベルシート７の上から、ラベルシートを覆い隠すように貼り付けたカバーシート８である。ラベルシート７には、「ガス抜き済」などといった、容器１から内容物、とくに噴射剤（ガス）を出し切った旨の表示がされている。ラベルシート７は、たとえば紙、合成樹脂、金属箔、それらの積層体などのフィルムないしシートなどにより製造される。ラベルシート７は容器１から容易に剥がれないように、糊、合成樹脂、合成ゴムなどの接着剤などで貼着されている。なお、容器１の表面上に表示を直接印刷するようにしてもよい。
【００３０】
カバーシート８は請求項１におけるカバーリング要素の一種であり、ラベルシート７の表示が見えないように覆うものである。カバーシート８は、たとえば紙、合成樹脂、金属箔、それらの積層体などの不透明なフィルムないしシートなどにより構成されている。カバーシート８は、たとえば表示の周囲のみに貼着したり、ラベルシート７を容器１に貼着する接着剤よりも接着力の弱い接着剤で貼着することにより、比較的容易に容器１から、あるいはラベルシート７から引き剥がせるように貼り付けられている。なおラベルシート７の表面に、カバーシート８の接着剤が剥がれやすいようにするためのシリコーン系樹脂などのコーティングを施しておいてもよい。カバーシート８の周囲、とくにコーナー部には、引き剥がすときに摘むための摘み片９が突設されている。そしてカバーシート８の表面には、「廃棄前にガス抜きを必ず行うこと」および「ガス抜きが完了した後はこのシートを引き剥がすこと」などといった説明文ないし注意書きが記載されている。なお、「ボタン３を一定時間押し続けてガス抜きをする」および「容器を振って内容物がないことを確認する」などといった、ガス抜き方法の詳しい説明を他の説明ラベル１０などに記載しておくようにしてもよい。
【００３１】
上記のごとく構成されるエアゾール製品Ａは、使用者がエアゾール製品の内容物を使いきった後、説明ラベル１０などの説明にしたがってボタン３を一定時間押し続け、ガス抜きを行う。そしてガス抜きを確認した上で、カバーシート８の摘み片９を矢印のように引っ張ってカバーシート８を引き剥がす。それによりその下のラベルシート７の「ガス抜き済」などの表示が現れる。ついで金属製の容器１と合成樹脂製の肩カバー２やボタン３などを分別し、資源ごみの収集日まで保管しておく。したがって収集日の当日には、容器１の「ガス抜き済」の表示を目で確認して安心して廃棄することができる。なお、カバーシート８を剥がしておらず、「ガス抜き済」の表示がない容器１については、再度容器１を振るなどによりガス抜きの有無を確認し、ガスが残留している場合はガス抜きを行った上で、カバーシート８を剥がし、廃棄する。
【００３２】
資源ゴミの収集業者あるいは再生業者は、「ガス抜き済」の表示によりガスが残留しているかどうかがわかるので、ガスを抜いていないものだけを再度ガス抜きし、ガスを抜いた容器１のみを圧縮・再生処理などにまわせばよい。
【００３３】
上記のように、図１のエアゾール製品Ａはガス抜き済みの表示の上にカバーシート８を設けているので、使用者は単にカバーシート８を剥がすだけでガス抜き済みであることを表示することができる。さらにカバーシート８を剥がす行為は、その下の未知のものを見ようとする興味を惹き起こす。そのため実行される可能性が高い。しかもそのカバーシート８を剥がす前提としてのガス抜き作業も、実行される可能性が高くなる。
【００３４】
図２ａはいわゆるスクラッチ式の被覆８ａをカバーリング要素として採用したエアゾール製品の要部を示している。このものは、容器１の胴部５の表面に印刷した「ガス抜き済」の表示７ａの上に、金属粉、合成樹脂粉、皮膜形成樹脂などの削り取り容易な不透明の被覆８ａを設けたものである。被覆８ａは、たとえば転写（とくに熱転写）あるいはスクリーン印刷などの方法で設けることができる。その場合、容器１の表面にホットメルト系などの接着剤を所定の形状で印刷ないし転写しておき、その上に被覆８ａの材料の金属粉末などを転写するようにしてもよい。また、図１におけるラベルシート７を容器１に貼り付け、その上に被覆８ａを設けてもよい。その場合はラベルシート７の上にあらかじめ被覆８ａを設けておくことができる。いずれの場合も、被覆８ａの周縁部８ｂの接着強度を強くすることにより、剥がれにくくしておくのが好ましい。それにより誤って物が当たってこすれた場合に、被覆８ａの中央部を保護することができる。
【００３５】
上記のエアゾール製品では、容器１のガス抜きを終了した後、図２ｂに示すように、コインなどで被覆８ａの中央部をこすることにより、被覆８ａを剥がしていくことができる。そしてすべての被覆８ａの中央部をこすり落とすことにより、図２ｃに示すように、「ガス抜き済」の表示７ａを露出させることができる。このものは図１のエアゾール製品Ａの場合と同一の作用効果を奏することができると共に、被覆８ａの下の表示７ａがしだいに現れてくるので、使用者の興趣を惹き起こし、実行される可能性が一層高くなる。
【００３６】
図３に示すエアゾール製品Ｂは、容器１の肩部６に「ガス抜き済」と表示したラベルシート７が貼着されている。なお肩部６の表面に直接表示を印刷してもよい。ラベルシート７などの表示は肩部６を覆う肩カバー２によって覆われている。肩カバー２は請求項３の噴射部材に含まれる。肩カバー２はそれぞれ円筒状の外周壁１１、中間壁１２および内周壁１３を備えており、それらは縦リブ１４、１５で連結されている。外周壁１１の下端は容器１の肩部６の下部に当接されており、中間壁１２の下端はバルブ１６のマウンティングカップ１７の外周フランジ１８に弾力的に係合されている。内周壁１３の下端はマウンティングカップ１７の内部に嵌入されている。そしてそれにより肩カバー２は容器１に着脱自在に取り付けられている。容器１はアルミニウムあるいはブリキなどの金属製であり、肩カバー２およびボタン３は合成樹脂製である。
【００３７】
容器１の胴部には、たとえば「エアゾール製品の廃棄前にはボタンを押し続けてガスを抜くこと」などのガス抜きの方法、ガス抜きの確認方法、ガス抜きを確認した後に、カバーキャップおよびボタンを取り外して分別廃棄をすべきこと、およびその方法などを記載した説明ラベル１０が貼られている。なお容器１の表面にそれらの説明を直接印刷するようにしてもよい。
【００３８】
上記のごとく構成されるエアゾール製品Ｂは、使用者がエアゾール製品を使い終わった後、説明ラベルの指示にしたがってガス抜きを行い、肩カバー２を取り外すと、肩部６のラベルシート７が現れ、その容器１がすでにガス抜き済みであることが表示される。したがってこのエアゾール製品Ｂでは、合成樹脂製の肩カバー２やボタン３とアルミニウム製の容器１とが分別廃棄されると共に、容器１のガス抜きの表示が行われ、前述の場合と同じく、使用者が廃棄する直前に再度内容物を確認したり、回収業者や再生業者がガス抜きの有無を再度確認する必要がなく、表示のないものを重点的にチェックすればよい。したがって、残存ガスによる焼却時の爆発や破裂などの事故のおそれが少なくなる。さらに分別廃棄が実行される可能性が一層高くなる。
【００３９】
図４に示すエアゾール製品Ｃは、容器本体１の胴部５の表面に大きく「ガス抜き済」の表示２０が印刷されている。そしてその上を不透明な包装フィルム２１で覆っている。包装フィルム２１はたとえばシュリンクフィルムなどが好ましい。包装フィルム２１には、図１や図３のエアゾール製品Ａ、Ｂにおける説明ラベル１０と同様のガス抜きに関する注意書き、およびガス抜き後にその包装フィルム２１を破り取るべきことが記載されている。
【００４０】
このエアゾール製品Ｃでは、使用者はガス抜き操作を行った後、包装フィルム２１を破り取るだけで、ガス抜き済みであることの表示２０が現れる。それにより前述の場合と同じ作用効果が奏される。なお、ガス抜き済みの表示２０は前述の実施形態の場合よりも大きいため、視覚効果および安全効果は一層高い。また容器１自体に印刷で表示２０を設けているので、その表示２０が剥がれたり、剥がされたりするおそれがほとんどない。
【００４１】
なお図４のエアゾール製品Ｃでは胴部５に表示２０を設けているが、肩部６に設けるようにしてもよい。また印刷により表示２０を設けているが、ラベルシートで表示するようにしてもよい。
【００４２】
図５に示すエアゾール製品Ｄは、図１のエアゾール製品Ａと実質的に同じものであるが、ラベルシート７の上に貼り付けたカバーシート８の上部８ａが肩カバー２の下側に延ばされており、たとえば容器１の肩部６に貼り付けられている。そのため、肩カバー２を外さない限り、カバーシート８の全体を剥がすことができない。したがって肩カバー２と容器１の分別廃棄が確実に行われる。
【００４３】
図５のエアゾール製品Ｄでは、肩カバー２とボタン３とがヒンジ２３で連続した合成樹脂の一体成形品としている。そのため肩カバー２を容器１から外すときに同時にボタン３も外され、分別廃棄が一層徹底される。このような肩カバー２とボタン３の一体化は、図１や図３のエアゾール製品Ａ、Ｂでも採用するのが好ましい。この実施形態ではスパウト３ｂを備えたボタン３を採用している。
【００４４】
前述の実施形態では、容器１が金属製で、肩カバー２が合成樹脂製のものを示しているが、合成樹脂製の容器と金属製の肩カバーとを組み合わせたものでも同じ作用効果が奏される。なお、二重エアゾール製品などの場合は容器の底部などにガス抜き用のバルブを別個に設けることがあるが、その場合もガス抜きの表示およびそれを覆うカバーリング要素を設けることにより、同じ作用効果が奏される。
【００４５】
図６に示すエアゾール製品Ｅは、キャップ３０の内面に、好ましくはその下端近辺に、ガス抜き済みであることを示す表示２０を設けた柔軟性を有するテープ３１を貼り付けている。テープ３１は比較的強度が高い合成樹脂テープが好ましい。テープ３１の一面にはその長手方向に沿って表示２０が印刷などにより設けられ、他面には接着層ないし粘着層が設けられている。キャップ３０の内面にはテフロンコートなどの剥離面を設け、その上にテープ３１を貼り付けている。なお符号３２はテープ３１の端部を摘むための摘み片である。
【００４６】
このものはエアゾール製品Ｅの使用時にはテープ３１がキャップ３０内にあるので、表示２０は外部からは見えない。そしてエアゾール製品３１を使い終わった後、消費者はキャップ３０からテープ３１を剥がし、テープ３１の中央部をボタン３の上に貼り付け、そのままボタン３を押し下げた上で、テープ３０の両端部を容器１の側面に貼り付ける。それにより容器１と外部とが連通し、容器１内に残っているガスが抜ける。容器１を廃棄する場合は、テープ３１をそのままにして廃棄する。
【００４７】
このよう状態で廃棄されると、テープ３１にはガスが抜けていることを示す表示２０が設けられているので、廃棄物の回収業者などは直ちにガス抜き済みであることが分かる。またテープ３０がボタン３を押している状態は外部から見えるため、回収業者などは一層安心して容器１を回収することができる。
【００４８】
容器１に肩カバーを着脱自在に設ける場合は、上記のテープ３１をその肩カバーの内面に貼り付けてもよい。また前記キャップ３０が透明な場合は、テープ３１の表面にさらに表示を隠すためのもう一枚のテープをカバーリング要素として重ねて貼り付けてもよい。そのようなカバーリング要素を用いる場合、あるいは裏向きに貼り付けられる場合は、キャップ３０や肩カバーの表面、あるいは容器１の表面に貼り付けてもよい。また底カバーを有する場合は、底カバーの内部に貼り付けることもできる。
【００４９】
図７に示すエアゾール製品Ｅ２では、肩カバー２の内部に係止テープ３３を収容している。係止テープ３３は厚さ０．５〜２ｍｍ程度のある程度の可撓性を有する合成樹脂製または金属製であり、表面に表示２０が設けられている。そして両端の裏面には、容器１のマウンティングカップ１７のフランジ部１８あるいは巻締め部の内面側に係合する係止突起３５が設けられている。
【００５０】
このものは、エアゾール製品Ｅ２の使用時には係止テープ３３の表示２０が外部から見えない。使い終わった後は、肩カバー２から係止テープ３３を取り出して、ボタン３の上に中央部を引っかけながら、ボタン３を押し下げ、係止テープ３３の両端の係止突起３５をフランジ部１８に引っ掛ける。それにより容器１からガスが抜け、係止テープ３３はボタン３の上向きの力で引っ張られるので、その状態に保持される。さらに係止テープ３３には表示２０が設けられているので、廃棄物の回収業者などは直ちにガス抜き済みであることが分かる。このものも裏向きにして肩カバー２や容器１の表面、底カバーなどに取り付けたり貼り付けたりすることができる。
【００５１】
図８ａ〜ｃのエアゾール製品Ｆでは、ボタン３の周囲にボタンカバー３７が被されている。ボタンカバー３７は有底円筒状で、上面には常時はボタン３を隠し、使用時に持ち上げるための、左右をスリットで他の部分から分離した舌片３８がヒンジ部３９を介して屈曲自在に設けられている（図８ｂ参照）。またボタンカバー３７の下端内周には、図８ｂに示すように、マウンティングカップのフランジ部１８と係合する係止突起４０が設けられている。
【００５２】
さらにこのエアゾール製品Ｆでは、舌片３８がヒンジ部３９でいわゆる弱め線により切り離し容易に構成されている。またボタンカバー３７の上面の裏面および舌片３８の裏面に、互いに係合する係合突起４１、４２が設けられている。そして図８ａの下段に示すように、舌片３８の裏面には、ガス抜きであることを示す表示２０が設けられている。
【００５３】
このものは、エアゾール製品を使用し終わった後、舌片３８をボタンカバー３７から切り離し、上下および前後を反転させて、ボタンカバー３７の上面とボタン３の間に挿入する。そのとき係合突起４１、４２同士を係合させる。それにより、舌片３８は容易に抜けないように保持されると共に、ボタン３を常時押した状態に保持する。それにより残存ガスが抜け切ると同時に、ガス抜きが完了していることを示す表示２０が表面側に現れる。したがって廃品回収業者などが回収したとき、ボタン３を押している状態と表示２０の双方により、ガス抜き済みであることが直ちに分かる。
【００５４】
図９に示すエアゾール製品Ｇは、カバーキャップ４５の上部が凹陥しており、その部分にガス抜き具４６が取り外し自在に嵌合されている。ガス抜き具４６は、有底円筒状の本体４７と、その周縁部から突出するフランジ部４８と、本体４７の底部から突出する筒状の嵌合筒４８ａとからなる。なおフランジ部は省略することもできる。本体４７の内面には、エアゾール製品Ｇのマウンティングカップのフランジ部１８と係合する係止突起４０が設けられている。嵌合筒４８ａは、エアゾール製品のステム４９の上端と係合する段部５０を備え、その中心にガス排出孔５１が形成されている。さらに本体４７の裏面５２には、前述の場合と同様のガス抜き済みであることを示す表示が設けられている。
【００５５】
このものは、エアゾール製品を使用し終わった後、まずステム４９からボタンを取り外す。そしてガス抜き具４６をカバーキャップ４５から取り外して反転させた上で、嵌合筒４８をステム４９に嵌合させ、係止突起４０を容器本体のマウンティングカップのフランジ部１８に係合させる。それによりガス抜き具４６は容易に抜けないように保持されると共に、ステム４９を常時押した状態に保持する。それにより残存ガスが抜け切る。またガス抜き具４６の裏面にはガス抜きが完了していることを示す表示が設けられているので、リサイクル業者などが回収したとき、そのガス抜き具が装着されている状態と表示の双方により、ガス抜き済みであることが直ちに分かる。
【００５６】
なお図９のエアゾール製品Ｇではガス抜き具４６をカバーキャップ４５の上面に取り付けているが、図１０に示すように、カバーキャップ４５の側面にガス抜き具の収容部５５を設け、その中に裏面側に表示を設けたガス抜き具４６を取り外し自在に収容してもよい。収容部５５はたとえば断面Ｔ字状の溝などで構成しうる。なお、収容部５５の溝は、想像線のようにガス抜き具４６の側面形状に合わせた断面とし、ガス抜き具４６を反転状態で収容できないようにするのが一層好ましい。それによりガスが抜けていないのに、誤ってガス抜きの表示が表面に現れることを防止しうる。
【００５７】
図１１ａのエアゾール製品Ｈはガス抜き具４６の収容方法の他の実施形態を示している。ガス抜き具４６は、たとえば容器１の肩部を覆う肩カバー２の裏面側に設けたり、ガス抜き具を肩カバーとヒンジ等で連結して一体とし、ガス抜き前に肩カバーを取り外し、さらに肩カバーからガス抜き具を取り外して使用することもできる。また容器１の底部に嵌合する底カバーと兼用する形態を採用することもできる。容器１の底部に嵌合させる場合、図１１ｂに示すように、ガス抜き具４６の周縁部に嵌合用の周壁５８を設け、底面５９は容器１の底部の形態に合わせて上方に凸となるように湾曲させるのが好ましい。ガス抜きの表示はその裏面６０に印刷するなどにより設ける。また場合により、その表示を引き剥がし自在のシールなどで覆ってもよい。
【００５８】
図１２ａ、図１２ｂおよび図１３のエアゾール製品Ｊは、ガス抜きの表示／不表示切り換え機構を備えたガス抜き機構６３を肩カバー２に一体に組み込んだものである。ガス抜き機構６３は、肩カバー２に設けられる支持筒６４と、その支持筒６４の周囲に回動自在に取り付けた、回動操作に伴って上下動する回動部材６５とを備えている。支持筒６４には上下の水平部６６ａ、６６ｂおよびそれらの間を連結する斜め部６６ｃからなるカム溝６６が形成されており、回動部材６５にはそのカム溝６６によって案内されるカム突起６７が設けられている（図１３参照）。カム溝６６とカム突起６７の組み合わせは、１組でもよいが、２〜３組程度設けるのが好ましい。
【００５９】
また回動部材６５には窓６８が形成され、支持筒６４の表面には、窓６８に現れる操作方法の説明表示６９とガス抜きの表示２０が設けられている。さらに図１３に示すように、回動部材６５の上端から支持筒６４の上端を超えて支持筒６４の内部側にボタン３を下方に押すための筒状の押し突起７０が設けられている。ボタン３の下部には、その押し突起７０の下端と係合するフランジ７１が設けられている。
【００６０】
このエアゾール製品Ｊは、通常の使用時には図１２ａに示すように、回動部材６５を、カム突起６７がカム溝６６の上側の水平部６６ａに係合する位置にある。それによりボタン３は上下に移動自在であり、噴射／停止操作を自由にできる。その状態では窓６８からは、たとえば「左に回すとガスが抜けます」といった説明表示６９が現れている。そしてエアゾール製品Ｊを使用し切ったとき、図１２ｂに示すように、回動部材６５を左に回すと、カム突起６７がカム溝６６内を摺動し、回動に伴って下方に移動し、カム溝６６の下部の水平部６６ｂと係合する。それにより図１３の押し突起７０がボタン３を下方に押し、ガスが抜ける。その状態では窓６８に「ガス抜き済み」といった表示２０が現れる。
【００６１】
上記実施形態ではカム溝６６とカム突起６７の組み合わせを採用しているが、ネジとネジ溝などを採用してもよい。また、回動部材６５を支持筒６４の内面側に配置し、支持筒６４に窓６８を設け、回動部材６５に表示２０を設けるようにしてもよい。
【００６２】
前記エアゾール製品の実施形態では、容器１に直接表示したり、あるいは容器１に取り付けたシールやカバー類などにガス抜き済みであることを示す表示２０を設けているが、図１４のエアゾール製品Ｋおよび図１５のエアゾール製品Ｌでは、容器１とは別個に表示部材を設け、容器１と一緒に包装したり、別個に配るようにしている。したがって通常の使用時には容器１に表示が現れていない。
【００６３】
すなわち図１４のエアゾール製品Ｋでは、表示２０を設けたタグ７６と、そのタグ７６を容器１の肩部６に引っ掛けるためリング部７７とからなる表示部材７５を採用している。このような表示部材７５はたとえば紙や合成樹脂シート、アルミ箔、マグネットシートなどで構成しうる。このものは消費者がエアゾール製品Ｋを使い終わり、容器１内のガスを抜き切ったきった後、リング部７７を単に肩部６に引っ掛けるだけで表示を行うことができる。なおリング部７７の裏面に粘着層ないし接着層を設けておいてもよい。
【００６４】
図１５のエアゾール製品Ｌでは、いわゆる剥離紙７８に仮着した表示ラベル７９からなる表示部材を採用している。表示ラベル７９の裏面には、粘着剤ないし接着剤が塗布されている。このものは消費者がエアゾール製品Ｌを使い終わり、容器１内のガスを抜き切った後、表示ラベル７９を容器１の胴部などに貼着するだけで、簡単に表示を行うことができる。なお表示ラベル７９に対し、図１のカバーシート８や図２のスクラッチ式の被覆８ａなどのカバーリング要素を設けておいてもよい。その場合は使用者はエアゾール製品を使用する前にあらかじめカバーリング要素付きの表示ラベル７９を容器１に貼着しておき、エアゾール製品を使い切った後、そのカバーリング要素を取り除く。このようにすると、途中で表示ラベル７９を失うおそれがない。なお剥離紙７８に複数枚の表示ラベル７９を仮着しておいてもよい。
【図面の簡単な説明】
【図１】本発明の範囲外のエアゾール製品を示す斜視図である。
【図２】本発明のエアゾール製品の一実施形態を示す要部断面図である。
【図３】図３ａ〜ｃは本発明の範囲外のエアゾール製品を示す使用方法説明図である。
【図４】本発明の範囲外のエアゾール製品を示す使用方法説明図である。
【図５】本発明のエアゾール製品の他の実施形態を示す要部斜視図である。
【図６】本発明のエアゾール製品のさらに他の実施形態を使用方法と共に示す要部斜視図である。
【図７】本発明のエアゾール製品のさらに他の実施形態を使用方法と共に示す要部斜視図である。
【図８】図８ａは本発明のエアゾール製品のさらに他の実施形態を表示顕在化の方法と共に示す要部斜視図であり、図８ｂおよび図８ｃはそれぞれそのエアゾール製品の表示を隠している状態と表した状態を示す断面図である。
【図９】本発明の範囲外のエアゾール製品を使用方法と共に示す要部斜視図である。
【図１０】本発明の範囲外のエアゾール製品を示す要部斜視図である。
【図１１】図１１ａは本発明のエアゾール製品のさらに他の実施形態を示す部分切り欠き分解斜視図であり、図１１ｂはそのエアゾール製品の表示部材の断面図である。
【図１２】図１２ａおよび図１２ｂはそれぞれ本発明のエアゾール製品のさらに他の実施形態における表示を隠している状態と表した状態を示す要部斜視図である。
【図１３】図１２ａ〜ｂのエアゾール製品の要部断面図である。
【図１４】本発明の範囲外のエアゾール製品を使用方法と共に示す要部斜視図である。
【図１５】本発明の範囲外のエアゾール製品を使用方法と共に示す要部斜視図である。
【符号の説明】
Ａ  エアゾール製品
１  容器
２  肩カバー
３  ボタン
３ａ  噴射口
４  底部
５  胴部
６  肩部
７  ラベルシート
８  カバーシート
９  摘み片
１０説明ラベル
Ｂ  エアゾール製品
１１  外周壁
１２  中間壁
１３  内周壁
１４  縦リブ
１５  縦リブ
１６  バルブ
１７  マウンティングカップ
１８  フランジ部
Ｃ  エアゾール製品
２０  表示
２１  包装フィルム
Ｄ  エアゾール製品
２３  ヒンジ
３ｂ  スパウト
Ｅ  エアゾール製品
３０  キャップ
３１  テープ
３２  摘み片
３３  係止テープ
３５  係止突起
Ｆ  エアゾール製品
３７  ボタンカバー
３８  舌片
３９  ヒンジ部
４０  係止突起
４１  係合突起
４２  係合突起
Ｇ  エアゾール製品
４５  カバーキャップ
４６  ガス抜き具
４７  本体
４８  フランジ部
４８ａ  嵌合筒
４９  ステム
５０  段部
５１  ガス排出孔
５２  裏面
５５  収容部
５８  周壁
５９  底面
６０  裏面
Ｊ  エアゾール製品
６３  ガス抜き機構
６４  支持筒
６５  回動部材
６６  カム溝
６７  カム突起
６８  窓
７０  押し突起
７１  フランジ
Ｋ  エアゾール製品
７５  表示部材
７６  タグ
７７  リング部
Ｊ  エアゾール製品
７８  剥離紙
７９  表示ラベル
【図１】
0004327957.tif 000002
【図２】
0004327957.tif 000003
【図３】
0004327957.tif 000004
【図４】
0004327957.tif 000005
【図５】
0004327957.tif 000006
【図６】
0004327957.tif 000007
【図７】
0004327957.tif 000008
【図８】
0004327957.tif 000009
【図９】
0004327957.tif 000010
【図１０】
0004327957.tif 000011
【図１１】
0004327957.tif 000012
【図１２】
0004327957.tif 000013
【図１３】
0004327957.tif 000014
【図１４】
0004327957.tif 000015
【図１５】
0004327957.tif 000016